(57)【要約】【課題】メッキ装置を提供する。【解決手段】本発明の一側面に係るメッキ装置は、被メッキ体を収容するメッキ槽と、被メッキ体を支持するためにメッキ槽に設けられる支持フレームと、自重により被メッキ体に張力を加えるように支持フレームに結合される重量部と、を含むことを特徴とする。【選択図】  図１
2015229801.tif 000002
【特許請求の範囲】
【請求項１】
被メッキ体を収容するメッキ槽と、
前記被メッキ体を支持するために前記メッキ槽に設けられる支持フレームと、
自重により前記被メッキ体に張力を加えるように前記支持フレームに結合される重量部と、
を含むメッキ装置。
【請求項２】
前記支持フレームが、
前記被メッキ体の上部を支持するために前記被メッキ体の上部に結合される上部クランプと、
前記重量部に結合され、前記被メッキ体の下部に結合される下部クランプと、を含むことを特徴とする請求項１に記載のメッキ装置。
【請求項３】
前記支持フレームが、
前記被メッキ体の外郭に沿って前記上部クランプと前記下部クランプとの間に介在され、長さが可変可能である支持バーをさらに含むことを特徴とする請求項２に記載のメッキ装置。
【請求項４】
前記支持バーが、
互いに分離された上部バーと、下部バーと、前記上部バーと前記下部バーとを連結し、伸縮可能である伸縮体と、を含むことを特徴とする請求項３に記載のメッキ装置。
【請求項５】
前記支持フレーム及び前記重量部が載置可能に前記メッキ槽に設けられる支持台をさらに含む請求項１から請求項４のいずれか１項に記載のメッキ装置。
【請求項６】
前記重量部が、自重の大きさを調整できることを特徴とする請求項１から請求項４のいずれか１項に記載のメッキ装置。
【発明の詳細な説明】
【技術分野】
【０００１】
本発明は、メッキ装置に関する。
【背景技術】
【０００２】
近年、印刷回路基板が携帯電話、半導体、情報通信などにおいて核心部品として使用されることになり、その技術力がますます重要となっている。特に、半導体ＩＣなどの移動通信部品の小型化、高速化、高密度化、高性能化、電磁波遮蔽などの信頼性の向上とともに印刷回路基板の均一なメッキに対する必要性が強調されている。
【０００３】
このような印刷回路基板における均一なメッキは、微細回路のメッキ膜を薄くし、均一化することにより高性能化できるとともに配線のプロファイルを低めて電子機器の雑音も低減することができる。また、メッキ厚さの均一化は、過メッキを防止することにより製造原価を低減する効果をもたらすことができる。
【０００４】
しかし、回路の複雑な形態、電解槽及び電極の形態などの幾何学的要素や、溶液及び添加物の特性、電気化学反応の速度に関連した分極と電圧、反応イオンの濃度分布などメッキの際に複合的に作用する各種因子のために均一な電流分布を得にくく、これにより、メッキ厚さの偏差を効果的に改善することが困難であった。
【０００５】
特に、メッキの際に代表的な不良事例のうちの一つである印刷回路基板の反り現象は、メッキの均一性に大きな影響を与えることがある。印刷回路基板に反りが発生すると、印刷回路基板の表裏面と陽極までの距離が変わり、陽極に近い面のメッキ厚さは増加し、陽極から遠い面のメッキ厚さは低減するなど、印刷回路基板における表裏面間のメッキ分布の差は勿論同一面においてもメッキの偏差をもたらすことができる。
【先行技術文献】
【特許文献】
【０００６】
【特許文献１】大韓民国公開特許第１０−１９９８−０８１７４０号公報
【発明の概要】
【発明が解決しようとする課題】
【０００７】
本発明の目的は、被メッキ体が反ることを防止してメッキ厚さの均一度を向上させることができるメッキ装置を提供することにある。
【課題を解決するための手段】
【０００８】
本発明の一側面によれば、被メッキ体を収容するメッキ槽と、被メッキ体を支持するためにメッキ槽に設けられる支持フレームと、自重により被メッキ体に張力を加えるように支持フレームに設けられる重量部と、を含むメッキ装置が提供される。
【０００９】
ここで、支持フレームは、被メッキ体の上部を支持するために被メッキ体の上部に結合される上部クランプと、重量部に結合され、被メッキ体の下部に結合される下部クランプとを含むことができる。
【００１０】
支持フレームは、被メッキ体の外郭に沿って上部クランプと下部クランプとの間に介在され、長さが可変である支持バーをさらに含むことができる。
【００１１】
支持バーは、互いに分離された上部バーと、下部バーと、上部バーと下部バーとを連結し、伸縮可能である伸縮体と、を含むことができる。
【００１２】
メッキ装置は、支持フレーム及び重量部が載置可能に、メッキ槽に設けられる支持台をさらに含むことができる。
【００１３】
ここで、重量部は、自重の大きさを調整することができる。
【発明の効果】
【００１４】
本発明の実施例によれば、重量部の自重により被メッキ体に張力が加えられるので、被メッキ体の反りを防止でき、メッキ厚さの均一度を向上できるメッキ装置を実現することができる。
【図面の簡単な説明】
【００１５】
【図１】本発明の一実施例に係るメッキ装置を概略的に示す図面である。
【図２】本発明の一実施例に係るメッキ装置においての支持フレーム及び重量部をより詳細に示す図面である。
【図３】本発明の一実施例に係るメッキ装置を用いた被メッキ体のメッキ厚さの実験結果を示す図面である。
【発明を実施するための形態】
【００１６】
本発明に係るメッキ装置の実施例を添付図面に基づいて詳細に説明し、添付図面に基づいて説明するに当たって、同一または対応する構成要素には同一の図面符号を付し、これに対する重複説明を省略する。
【００１７】
また、以下で使用する「第１」、「第２」などの用語は、同一または対応する構成要素を区別するための識別記号に過ぎず、同一または対応する構成要素が第１、第２などの用語により限定されるものではない。
【００１８】
また、「結合」とは、各構成要素の間の接触関係において、各構成要素の間に物理的に直接接触される場合のみを意味することではなく、他の構成が各構成要素の間に介在され、該他の構成に構成要素がそれぞれ接触されている場合まで包括する概念として使用する。
【００１９】
図１は、本発明の一実施例に係るメッキ装置を概略的に示す図面である。図２は、本発明の一実施例に係るメッキ装置においての支持フレーム及び重量部をより詳細に示す図面である。図３は、本発明の一実施例に係るメッキ装置を用いた被メッキ体のメッキ厚さの実験結果を示す図面である。
【００２０】
図１から図３に示すように、本発明の一実施例に係るメッキ装置１０００は、メッキ槽１００と、支持フレーム２００と、重量部３００とを含み、支持台４００をさらに含むことができる。
【００２１】
メッキ槽１００は、被メッキ体１０を収容する容器であって、被メッキ体１０をメッキするためのメッキ液を収容することができる。この場合、被メッキ体１０は、電気分解の原理を利用してメッキが施される対象体であって、メッキ液の収容されたメッキ槽１００内に被メッキ体１０を陰極として設け、メッキ槽１００内に別途に設けられた陽極部に電流を供給すれば、陰極である被メッキ体１０の表面にメッキが施されることができる。
【００２２】
支持フレーム２００は、被メッキ体１０を支持するためにメッキ槽１００に設けられるものであって、メッキ槽１００内で被メッキ体１０をメッキする際に被メッキ体１０が流動することを防止することができる。
【００２３】
一方、メッキ槽１００内で被メッキ体１０をメッキする際にメッキ液の圧力及び循環するメッキ液の挙動などにより被メッキ体１０に反りが発生することがある。このように、被メッキ体１０に反りが発生すると被メッキ体１０の表裏面から陽極部までの距離が変わって、陽極部に近い面のメッキ厚さは増加し、陽極部から遠い面のメッキ厚さは低減するなど、被メッキ体１０の表裏面間のメッキ分布の差は勿論同一面においてもメッキの偏差をもたらすことができる。
【００２４】
したがって、本実施例に係るメッキ装置１０００は、重量部３００により被メッキ体１０の反りを防止することができる。
【００２５】
具体的に、重量部３００は、自重により被メッキ体１０に張力を加えるために支持フレーム２００に結合されるものであって、張力により被メッキ体１０はメッキ槽１００内で伸びた状態を維持することができる。
【００２６】
このように、本実施例に係るメッキ装置１０００は、重量部３００の自重により被メッキ体１０に張力が加えられるので、被メッキ体１０の反りを防止し、メッキ厚さの均一度を向上させることができる。
【００２７】
以下に、図３を参照して被メッキ体１０のメッキ厚さの偏差について具体的に説明する。
【００２８】
図３は、本実施例に係るメッキ装置１０００を用いて被メッキ体１０の反りを防止した場合の実施例と、従来の一般的なメッキ装置のみを用いて被メッキ体１０の反りを防止しない場合の比較例との被メッキ体１０のメッキ厚さを比較した実験結果を示すグラフである。
【００２９】
図３に示すように、従来の一般的なメッキ装置のみを用いて被メッキ体１０の反りを防止しない場合の比較例では、被メッキ体１０の反りにより中央部分のメッキ厚さが増加し、上部及び下部のメッキ厚さは低減することが分かる。
【００３０】
これに対して、本実施例に係るメッキ装置１０００を用いて被メッキ体１０の反りを防止した場合の実施例では、被メッキ体１０の上部、下部及び中央部分のメッキ厚さが均一に形成されたことが分かる。
【００３１】
本実施例に係るメッキ装置１０００において、支持フレーム２００は、上部クランプ２１０と下部クランプ２２０とを含むことができる。
【００３２】
上部クランプ２１０は、図１及び図２に示すように、被メッキ体１０の上部を支持するために被メッキ体１０の上部に結合されるものであって、支持フレーム２００において横方向に設けられるブスバーなどに設けられて、被メッキ体１０の上部を支持することができる。
【００３３】
この場合、上部クランプ２１０は、通電可能な金属材質からなり、電源に接続可能な構成であることができる。これにより、上部クランプ２１０を介して直接的に支持フレーム２００に通電可能となる。
【００３４】
下部クランプ２２０は、図１及び図２に示すように、重量部３００に結合され、被メッキ体１０の下部に結合されるものであって、重量部３００の自重により被メッキ体１０の下部が下方向に引張られる張力を加えることができる。
【００３５】
すなわち、被メッキ体１０は、上部が上部クランプ２１０に支持され、下部が重量部３００に結合された下部クランプ２２０により下方向に引張られて伸びた状態を維持することができる。
【００３６】
この場合も、下部クランプ２２０は、上部クランプ２１０と類似に通電可能な金属材質からなり、電源に接続可能な構成であることができる。
【００３７】
このように、本実施例に係るメッキ装置１０００において、支持フレーム２００は、上部クランプ２１０と下部クランプ２２０とを含むことで、より容易かつ効果的に被メッキ体１０に張力を加えることができる。
【００３８】
本実施例に係るメッキ装置１０００において、支持フレーム２００は、被メッキ体１０の外郭に沿って上部クランプ２１０と下部クランプ２２０との間に介在され、長さが可変である支持バー２３０をさらに含むことができる。
【００３９】
すなわち、図１及び図２に示すように、被メッキ体１０は、縦方向に形成された支持バー２３０に、外郭の一部が結合されることにより支持されることができる。この場合、支持バー２３０は、被メッキ体１０の両側面に対称するように一対に設けられ、被メッキ体１０に均一な張力を加えることができる。
【００４０】
ここで、被メッキ体１０を縦方向に支持する支持バー２３０の長さが固定されていると、上述したような下部クランプ２２０に結合されている重量部３００の自重が被メッキ体１０に加えられることが遮断されるため、支持バー２３０は、重量部３００の自重が相殺されないように長さを可変可能にすることができる。
【００４１】
本実施例に係るメッキ装置１０００において、支持フレーム２００は、支持バー２３０をさらに含み、被メッキ体１０の反りをより効果的に防止することができる。
【００４２】
ここで、支持バー２３０は、上部バー２３１と、下部バー２３３と、伸縮体２３５とを含むことができる。
【００４３】
上部バー２３１及び下部バー２３３は、それぞれ上部クランプ２１０及び下部クランプ２２０から互いに向かって延長され、互いに分離されており、一定の剛性を有するように構成されて被メッキ体１０を縦方向に支持することができる。
【００４４】
伸縮体２３５は、上部バー２３１と下部バー２３３とを連結し、伸縮可能なものであり、上部バー２３１及び下部バー２３３は伸縮体２３５を介して互いに連結されていながらも、上述したように支持バー２３０の全体的な長さが可変可能となる。
【００４５】
この場合、伸縮体２３５は、材質の弾性により長さが可変であるスプリング構造、圧力の調整により長さが可変であるシリンダー構造、部材間の相対的な変位差により長さが可変であるスライド構造、引張力には対抗し、圧縮力には対抗しないようにして長さが可変である連結紐の構造などのように、長さを可変できる構造を含むことができ、必要によって多様に変形することができる。
【００４６】
このように、本実施例に係るメッキ装置１０００において支持バー２３０は、上部バー２３１、下部バー２３３及び伸縮体２３５を含むことにより、被メッキ体１０の支持及び反りの防止機能を効果的に実現することができる。
【００４７】
支持台４００は、支持フレーム２００及び重量部３００が載置可能に、メッキ槽１００に設けられるものであって、メッキ槽１００に被メッキ体１０を設置するステップで支持フレーム２００及び重量部３００を支持台４００に載置することができる。
【００４８】
そして、実際にメッキを施すステップでは、支持台４００を落下するなどの方法により支持フレーム２００及び重量部３００から分離し、重量部３００による張力が被メッキ体１０に加えられるようにすることができる。
【００４９】
上述したように、被メッキ体１０においての反りは、メッキが施される際に陽極部と被メッキ体１０の各部分との間に距離差が発生することによる問題であるため、メッキを施す前の被メッキ体１０の初期設置ステップから重量部３００による張力を加える必要はない。
【００５０】
仮に、メッキを施す前の被メッキ体１０の初期設置ステップから重量部３００による張力が加えられると、被メッキ体１０の設置が困難となったり、被メッキ体１０に損傷を与えたりすることもある。
【００５１】
したがって、本実施例に係るメッキ装置１０００は、支持台４００をさらに含み、重量部３００による張力を被メッキ体１０に加えるか否かを適宜制御することができる。
【００５２】
一方、本実施例に係るメッキ装置１０００において重量部３００は、自重の大きさを調整可能である。例えば、重量部３００を複数の重量体から構成し、状況によって、用いられる重量体の個数を変えたり、重量部３００の内部に重量流体を収容できるように構成し、収容される重量流体の量を変えたりするなど多様な方法により自重の大きさを調整することができる。
【００５３】
これにより、被メッキ体１０の種類及びメッキの精密度に合わせて適宜重量部３００の自重を調整することができ、より多様な状況及び環境に適するように本実施例に係るメッキ装置１０００を制御することができる。
【００５４】
以上、本発明の実施例について説明したが、当該技術分野で通常の知識を有する者であれば特許請求範囲に記載した本発明の思想から逸脱しない範囲内で、構成要素の付加、変更、削除または追加することによって本発明を多様に修正及び変更することができ、これも本発明の権利範囲内に含まれるといえよう。
【符号の説明】
【００５５】
１０      被メッキ体
１００    メッキ槽
２００    支持フレーム
２１０    上部クランプ
２２０    下部クランプ
２３０    支持バー
２３１    上部バー
２３３    下部バー
２３５    伸縮体
３００    重量部
４００    支持台
１０００  メッキ装置
【図１】
2015229801.tif 000003
【図２】
2015229801.tif 000004
【図３】
2015229801.tif 000005